(57)【要約】【課題】  箸置きとしての機能と、１対の箸を揃えた状態に維持する箸止めとしての機能と、箸箱に収納した箸の携帯音や抜け落ちを防止する保持具としての機能との３機能を兼備した箸箱用箸ホルダＨＤを提供する。【解決手段】  軟質樹脂材料を繭形または長円形の断面形状を有する短筒状に形成することによって、箸止めとして揃えた状態の１対の箸を挿通可能とし、さらに、その側面の一部を大きく切り欠いた開口部２Ｈとして凹ませることによって、箸置きとしての箸Ｔ，Ｔの位置決め機能と、箸箱Ｂ内に装填した場合には、箸箱Ｂの内部形状に追従して箸Ｔ，Ｔを拘束する方向に変形することができる変形の容易性を付与する。【選択図】  図９
2010125017.tif 000002
【特許請求の範囲】
【請求項１】
軟質樹脂材料を上下の対応する位置にそれぞれ窪み曲面を設けた中空繭形の断面形状を有する繭形短筒状体に成形してなり、
前記繭形短筒状体は、箸置きとして用いる場合において、前記窪み曲面によって１対の箸の先端部を位置決めし、１対の箸を揃えて置くための箸止めとして用いる場合において、内部に差し入れた１対の箸を前記窪み曲面が伸張するように弾性変形することによって弾性的に拘束するとともに、箸箱に収納した箸を拘束するための箸箱用箸ホルダとして用いる場合において、内部に差し入れた１対の箸とともに所定幅寸法の箸箱に押し入れた際に、前記窪み曲面が内側に向かって膨出するように変形して１対の箸を箸箱内において拘束すること、を特徴とする
箸箱用箸ホルダ。
【請求項２】
軟質樹脂材料を中空長円形の断面形状を有し、側面の一部を大きく切り欠いて開口部とすることによって該開口部の前後位置の２箇所に残存する側面を容易に変形するバンド状部とした長円形短筒状体に成形してなり、
前記長円形短筒状体は、箸置きとして用いる場合において、前記開口部によって１対の箸の先端部を位置決めし、１対の箸を揃えて置くための箸止めとして用いる場合において、内部に差し入れた１対の箸を前記バンド状部が弾性変形することによって弾性的に拘束するとともに、箸箱に収納した箸を拘束するための箸箱用箸ホルダとして用いる場合において、内部に差し入れた１対の箸とともに所定幅寸法の箸箱に押し入れた際に、前記バンド状部が内側に向かって膨出するように変形して１対の箸を箸箱内において拘束すること、を特徴とする
箸箱用箸ホルダ。
【請求項３】
前記２箇所のバンド状部の少なくとも一方に、上方または斜め上方に向かって突出する接触突起を突設してなり、
前記バンド状部は、１対の箸を内部に差し入れた状態の前記長円形短筒状体を箸箱に収納した際において、前記接触突起を介して箸箱の蓋と緩衝することによって内側に向かって膨出するように変形して１対の箸を箸箱内において拘束すること、を特徴とする
請求項２に記載の箸箱用箸ホルダ。
【請求項４】
前記２箇所のバンド状部の少なくとも一方の左右位置に、側方に向かって突出する１対の接触突起を突設してなり、
前記バンド状部は、１対の箸を内部に差し入れた状態の前記長円形短筒状体を箸箱に収納した際において、前記１対の接触突起を介して箸箱の左右の側面と緩衝することによって内側に向かって膨出するように変形して１対の箸を箸箱内において拘束すること、を特徴とする
請求項２または請求項３に記載の箸箱用箸ホルダ。
【発明の詳細な説明】
【技術分野】
【０００１】
本発明は、食事中において１対の箸の先端部を浮かした状態でテーブル等の上に一時的に置くための箸置きとしての機能、ご膳等に箸を添えて提供する際に１対の箸を端正に揃った状態に維持するための箸止めとしての機能、および、箸箱に収納した箸の携帯音の発生や抜落ちを防止するための箸ホルダとしての機能、との３機能を兼用できるように工夫した箸箱用箸ホルダに関する。
【背景技術】
【０００２】
使い捨ての消費構造が見直され、良い物を長く使うという方向に消費者意識が変わってきている。日用品である箸においても、割り箸の使用を控え、長期使用を前提とした塗り箸等の使用の機会、職場等への箸の携帯の機会が増えている。
【０００３】
箸の携帯には、通常、箸箱が使用される。箸箱には、６面構成の箱形の従来からの箸箱の他、箸の手元側を意図的に露出させた状態で先端部側を差し入れて使用するハーフタイプの箸箱がある。これらの箸箱においては、携帯中に箸箱内において箸が移動することによってカタカタという特有の携帯音が発生し、耳障りであるという共通の問題がある。特に、箸および箸箱の双方が樹脂製である場合には、かなり鋭い携帯音を発生する場合もある。この箸の携帯音は、格別大きな音ではないものの、場所柄によっては、不謹慎と受けとられるおそれがある。
【０００４】
箸箱内における箸の自由運動による問題は、携帯音の発生のみならず、箸先端部や基端部の塗装が箸箱と衝突して剥落するという問題もある。また、ハーフタイプの箸箱においては、鞄の中等で箸箱から箸が抜け出してしまうという問題もある。これらの問題については、業界側での格別な対策は採られておらず、各自がティッシュペーパ等を箸箱内に装填する等の工夫をしているのが実態である。
【０００５】
ところで、箸とともに用いられる食事用具として、箸置き及び箸止めがある。箸置きは、食事の途中においてテーブル上に一時的に箸を置く必要がある際に使用される。また、箸止めは、ご膳等を運ぶ際に箸がばらばらにならないように１対の箸を揃えた状態に簡単に拘束しておく用具である。いずれも簡単な用具であるが、特に、格式性の高い食事の場面においては、これがないと困る場合がある。
【０００６】
箸置き及び箸止めに関しては、本来は、別々の機能を負担する個別の物品であるが、一物品で両機能を発揮することができることが便宜であるため、下に文献例を例示するように、箸置きと箸止めの機能を兼用することができるように工夫をした多数の提案例が見られる。
【特許文献１】特開２００１−７８８７１号公報
【特許文献２】実用新案登録第３０７１３８３号公報
【特許文献３】特開２００５−３４２４８号公報
【発明の開示】
【発明が解決しようとする課題】
【０００７】
箸置きや箸止めは、箸とともに用いられる用品でありながら、箸箱内にいれて携帯することが困難であるという問題がある（特許文献１ないし３参照）。箸箱は、昔からある物品ではあるが、そのデザインは、徐々に改善され、今日の携帯用箸箱は極めてコンパクトであり、箸のほかに箸置き等を収納する内部スペースがないからである。
【０００８】
本発明は、１対の箸を揃えた状態で挿通することができる筒形の形状を基本とすることによって、箸のみの外形に対して外形の増加分を最小限に抑えるとともに、筒形の基本形状を維持しつつ、その構成面の一部に曲面や開口部を採用する等の工夫を凝らし、さらに、材質面において、箸箱の内法寸法や内部形状に従って一定範囲で変形可能な軟質の樹脂材料を選択することによって多様な寸法比率の箸箱に対する適合性を高め、１対の箸に外嵌した状態においてコンパクトな箸箱に箸とともに収納可能とし、箸箱内において箸を拘束する機能の他、箸箱から箸とともに取り出した際に、そのまま箸置きとして機能しており、箸を引き抜いた際においては、そのまま箸置きとして使用することができる箸箱用箸ホルダを提供することを目的とする。
【課題を解決するための手段】
【０００９】
この目的を達成するための手段として本発明は、次のような構成を採用する。
【００１０】
本発明の請求項１に記載の箸箱用箸ホルダは、軟質樹脂材料を上下の対応する位置にそれぞれ窪み曲面を設けた中空繭形の断面形状を有する繭形短筒状体に成形してなる。この繭形短筒状体は、箸置きとして用いる場合において、窪み曲面によって１対の箸の先端部を位置決めし、１対の箸を揃えて置くための箸止めとして用いる場合において、内部に差し入れた１対の箸を窪み曲面が伸張するように弾性変形することによって弾性的に拘束するとともに、箸箱に収納した箸を拘束するための箸箱用箸ホルダとして用いる場合において、内部に差し入れた１対の箸とともに所定幅寸法の箸箱に押し入れた際において、窪み曲面が内側に向かって膨出するように変形して１対の箸を箸箱内において拘束することを特徴とする。
【００１１】
上記箸箱用箸ホルダは、中空繭形の断面形状を有する繭形短筒状体に成形されている。したがって、１対の箸を揃えて挿通して拘束することができ、箸を挿通した状態の全体外形は、箸のみの外形に対して繭形短筒状体の厚み相当の僅かの増加に抑えることができるので、コンパクトな箸箱に箸とともに収納することができる。
【００１２】
繭形短筒状体に設けられた上下の窪み曲面は、繭形短筒状体に内側から力が加わった際に変形する契機となる。繭形短筒状体に１対の箸を挿通すると、窪み曲面が伸張するように弾性変形し、１対の箸は、この際の弾性回復力によって安定に拘束され、箸止めとしての機能を発揮することができる。
【００１３】
繭形短筒状体における窪み曲面は、繭形短筒状体に外部から力が加わった場合の変形の契機にもなる。窪み曲面は繭形短筒状体の内部側にくぼんでおり、外力による変形は窪み曲面の窪みが大きくなる方向、換言すれば、内部側に膨出する方向に変形し、変形によって外形が大きくなることはない。したがって、内部スペースが小さい箸箱に押し込んだ場合においても、箸箱の蓋が閉まらなくなるというような不都合が生じない。また、上記のような変形によって内部に挿通した箸に対する拘束力が一層強められる。この結果、箸箱内における箸の移動による携帯音の発生や、抜け取れを確実に防止することができる。
【００１４】
また、繭形短筒状体は、箸置きとして用いる場合において、窪み曲面によって１対の箸の先端部を載せて位置決めすることができる。
【００１５】
本発明の請求項２に記載の箸箱用箸ホルダは、軟質樹脂材料を中空長円形の断面形状を有し、側面の一部を大きく切り欠いて開口部とすることによって開口部の前後位置の２箇所に残存する側面を容易に変形するバンド状部とした長円形短筒状体に成形してなる。長円形短筒状体は、箸置きとして用いる場合において、開口部によって１対の箸の先端部を位置決めし、１対の箸を揃えて置くための箸止めとして用いる場合において、内部に差し入れた１対の箸をバンド状部が弾性変形することによって弾性的に拘束するとともに、箸箱に収納した箸を拘束するための箸箱用箸ホルダとして用いる場合において、内部に差し入れた１対の箸とともに所定幅寸法の箸箱に押し入れた際に、バンド状部が内側に向かって膨出するように変形して１対の箸を箸箱内において拘束することを特徴とする。
【００１６】
上記箸箱用箸ホルダにおける長円形短筒状体の断面形状は、中空長円形であることにより、１対の箸を揃えた状態で挿通することができる。この状態の外形サイズの増加は、箸のみの状態に対して長円形短筒状体の厚みを加算した僅かの増加に抑えることができ、箸とともに任意の箸箱に収納することが可能である。
【００１７】
長円形短筒状体の側面には、大きな開口部が形成され、この結果、開口部の前後位置の細くなっているバンド状部は、軟質樹脂材料の選択と相乗して非常に変形し易い状態となる。バンド状部は、挿通された箸によって弾性的に伸張し、その回復力によって１対の箸を拘束することができる。この機能は箸止めとしての機能そのものである。
【００１８】
長円形短筒状体を例えば上下幅の狭い箸箱に装填する場合は、バンド状部が下向きに変形することによって適合することができ、また、左右幅の狭い箸箱に収納する場合には、バンド状部が左右方向から押される圧縮力を吸収するように変形することによって適合することができる。したがって、一定限度において、箸箱の内法寸法の違いに適合することができる。
【００１９】
箸箱のサイズの違いに追随するためのバンド状部の変形は、いずれの場合も内側に向かって膨出する方向であり、変形によって箸に対する拘束力を失うようなことはなく、箸箱内において１対の箸を安定に保持し、携帯音の発生や抜け取れを防止する。
【００２０】
なお、長円形短筒状体の開口部の部分は、側方からに視点においては窪みであり、箸置きとした場合に箸の先端部を位置決めすることができる。
【００２１】
本発明の請求項３に記載の箸箱用箸ホルダは、長円形短筒状体における２箇所のバンド状部の少なくとも一方に、上方または斜め上方に向かって突出する接触突起を突設してなり、バンド状部は、１対の箸を内部に差し入れた状態の長円形短筒状体を箸箱に収納した際において、接触突起を介して箸箱の蓋と緩衝することによって内側に向かって膨出するように変形して１対の箸を箸箱内において拘束することを特徴とする。
【００２２】
上記箸箱用箸ホルダにおいては、バンド状部に対する外力は、接触突起を介して加わるので、内側に向かって膨出するように変形すべきバンド状部が外側に向かって膨出し、箸箱の蓋が閉まらないような事態の発生を防止することができるとともに、接触突起自体も変形可能であるため、個々の箸箱の上下寸法の違いに対する適合範囲を拡大することができる。
【００２３】
本発明の請求項４に記載の箸箱用箸ホルダは、長円形短筒状体における２箇所のバンド状部の少なくとも一方の左右位置に、側方に向かって突出する１対の接触突起を突設してなり、バンド状部は、１対の箸を内部に差し入れた状態の長円形短筒状体を箸箱に収納した際において、少なくとも１対の接触突起を介して箸箱の左右の側面と緩衝することによって内側に向かって膨出するように変形して１対の箸を箸箱内において拘束することを特徴とする。
【００２４】
上記箸箱用箸ホルダは、バンド状部の変形に接触突起の変形量を加算した広範囲での変形が可能であることにより、個々の箸箱の左右幅の違いに対する適合範囲を拡大することができる。
【発明の効果】
【００２５】
本発明の箸箱用箸ホルダは、１対の箸を揃えた状態で挿通することができる中空の断面形状を有する繭形短筒状体または長円形短筒状体筒形の形状を基本形態とすることによって、箸を挿通した場合の外形の増加分を最小限に抑えるとともに、その構成面の一部に窪み曲面や開口部を採用する等の工夫を凝らし、さらに、材質面において、箸箱の内法寸法や内部形状に従って一定範囲で変形可能な軟質の樹脂材料を選択することによって多様な寸法比率の箸箱に対する適合性を高め、１対の箸に外嵌した状態においてコンパクトな箸箱に箸とともに収納することを可能とした。箸箱内に収納された箸箱用箸ホルダは、箸箱内において箸を拘束し、その箸を保持しながら携帯できる機能の他、箸箱から箸とともに取り出した際に、そのまま箸置きとして使用することができる機能を有しているので、従来、事実上個別に扱う他なかった箸置きおよび箸止めを箸箱内に収納し、箸とともに携帯することが可能となった。
【発明を実施するための最良の形態】
【００２６】
以下、図面を引用しながら本発明の箸箱用箸ホルダＨＤ（以下単に「箸ホルダＨＤ」という）の実施の形態を説明する。
【００２７】
箸ホルダＨＤは、軟質樹脂材料から一体成形された繭形短筒状体１０からなる（図１）。箸ホルダＨＤに使用する樹脂材料は、箸Ｔ，Ｔおよび箸箱Ｂの内部形状等に対して容易に変形させるため軟質でなければならない。好ましい樹脂材料としては、低密度ポリエチレン、ポリエチレンとポリ酢酸ビニルとの共重合体であるＥＶＡ樹脂、オレフィン系樹脂の発泡材料等がある。
【００２８】
繭形短筒状体１０の断面形状は、中空繭形である。したがって、繭形短筒状体１０の側面２の上下の対応する位置には、それぞれ窪み曲面２Ａ，２Ａが形成されている。
【００２９】
繭形短筒状体１０の断面サイズは、揃えた１対の箸Ｔ，Ｔの合計断面サイズから逆算的に決定されている。この際、箸Ｔ，Ｔの先端部寄りの断面サイズ、箸Ｔ，Ｔの手元側の断面サイズに応じて２種類、または箸Ｔ，Ｔの中間部のサイズに応じたものを準備することができる。いずれも、箸Ｔ，Ｔのその部分に外嵌した場合に適度な緊縮感が得られる程度のサイズである。また、繭形短筒状体１０の軸方向のサイズは任意である。繭形短筒状体１０の厚みは、２ミリ前後あれば十分である。
【００３０】
繭形短筒状体１０は、窪み曲面２Ａ，２Ａの設定によって箸Ｔ，Ｔの挿通に際して極めて好都合な変形態様を示す（図２）。箸Ｔ，Ｔを挿通すると窪み曲面２Ａ，２Ａが直線状に伸張する方向に変形するので、無理なく箸Ｔ，Ｔを挿通することができるとともに、挿通された箸Ｔ，Ｔを弾性的に保持することができる。これは、箸止めとして好ましい性質である。
【００３１】
また、繭形短筒状体１０の窪み曲面２Ａ，２Ａは、箸箱Ｂに装填する際にも好都合な変形を示すことができる（図１，図３）。ここで、例示する図３は、箸箱Ｂは、蓋Ｂ１と本体Ｂ２がヒンジ連結部Ｂ３，Ｂ３を介して開閉するハーフタイプの箸箱Ｂである。箸Ｔ，Ｔに２個の箸ホルダＨＤを取り付けた例であり、箸箱Ｂの本体Ｂ２に挿入保持して、蓋Ｂ１を閉じることで箸ホルダＨＤとともに箸Ｔ，Ｔを拘束し、箸Ｔ，Ｔの抜け落ちを防止した例でもある。
【００３２】
例えば、箸箱Ｂの内部スペースにおける上下寸法が小さく、蓋Ｂ１を閉じた際に装填した繭形短筒状体１０に、上下方向からの外力Ｆ１，Ｆ１が負荷された場合においては、窪み曲面２Ａ，２Ａが内側に膨出して互いに接近するように変形し、また、箸箱Ｂの幅寸法が小さく、繭形短筒状体１０に左右方向からの外力Ｆ２，Ｆ２が加わった場合においても、同様に窪み曲面２Ａ，２Ａが内側に膨出するように変形する。
【００３３】
すなわち、繭形短筒状体１０の変形方向は、外形が小さくなる方向であり、箸Ｔ，Ｔに対する拘束力を増加させる変形方向でもある。この結果、繭形短筒状体１０を取り付けた箸Ｔ，Ｔを多少無理に箸箱Ｂに押し込んでも、蓋Ｂ１が閉じなくなったり、箸Ｔ，Ｔに対する拘束力が損なわれることにはならないのである。
【００３４】
さらに、繭形短筒状体１０の窪み曲面２Ａ，２Ａは、箸置きとして使用する際に箸Ｔ，Ｔの先端部を位置決めすることができる（図４）
【００３５】
以下、順次に本発明の箸ホルダＨＤの別の実施の形態を説明する。
【００３６】
本発明の箸ホルダＨＤは、中空長円形の断面形状を有し、使用上の上側となる側面２に大きな開口部２Ｈを形成した長円形短筒状体２０として構成することができる（図５）。この開口部２Ｈを設けることで、箸Ｔ，Ｔを置くのに好都合な窪みが形成される。
【００３７】
また、開口部２Ｈを設けることによって、開口部２Ｈを挟んで位置する長円形短筒状体２０の側面２の一部は、特別に変形容易なバンド状部２Ｂ，２Ｂとされている。この結果、長円形短筒状体２０に１対の箸Ｔ，Ｔを差し込んだ際において、バンド状部２Ｂ，２Ｂが弾性的に伸張し、差し込まれた箸Ｔ，Ｔを安定に保持することができる（図６）。また、バンド状部２Ｂ，２Ｂは、上下方向、左右方向からの外力に対して容易に変形することによって、長円形短筒状体２０全体が節度なく不定形に変形することを防止するように機能するのである。
【００３８】
箸ホルダＨＤは、長円形短筒状体２０の側面２の一部を意図的に厚肉に形成することによって、変形態様をコントロールすることができる（図７）。本実施の形態においては、開口部２Ｈの左右位置の側面２Ｓ，２Ｓの肉厚が他の部分の肉厚の２倍程度に設定されている。
【００３９】
上記のような長円形短筒状体２０は、箸箱Ｂに装填したときに左右方向から外力Ｆ２，Ｆ２が加わった場合（図９）、肉厚の厚い側面２Ｓ，２Ｓは、変形することなく左右からバンド状部２Ｂ，２Ｂを内側に引き込みながら倒れ込むように整った変形態様を示す（図８）。この結果、変形による外形の増大がなく箸箱Ｂに簡単に装填することができるとともに、箸Ｔ，Ｔに対する拘束力も失われないのである。そして、ハーフタイプの箸箱Ｂでありながら、箸Ｔ，Ｔをその箸箱Ｂ内に拘束し、保持する。
【００４０】
長円形短筒状体２０のバンド状部２Ｂ，２Ｂには、上方に向けて接触突起２Ｔ，２Ｔを突設することができる（図１０）。接触突起２Ｔ，２Ｔはリブ状であってバンド状部２Ｂ，２Ｂの中間位置に軸方向に向けて形成されている。
【００４１】
接触突起２Ｔ，２Ｔは、直接には接触できないサイズの箸箱Ｂにおいても、接触突起２Ｔ，２Ｔを介して箸箱Ｂの蓋Ｂ２に接触し、長円形短筒状体２０によって保持した箸Ｔ，Ｔの振れを阻止することができる（図１１）。なお、接触突起２Ｔ，２Ｔを介してのバンド状部２Ｂ，２Ｂの変形は、内側に膨出する方向であり、箸Ｔ，Ｔに対する拘束力が増大することとなる。また、接触突起２Ｔは、いずれか一方のバンド状部２Ｂに設ければ十分である。
【００４２】
接触突起２Ｔ，２Ｔは、斜め上に向けて突設することができる（図１２）。この場合の各接触突起２Ｔの形状は、舌片状である。上記のリブ状の接触突起２Ｔ，２Ｔにおいては、箸箱Ｂの蓋Ｂ２を閉じた際に圧縮力が加わるのであるが、本実施の形態の接触突起２Ｔ，２Ｔにおいては、斜め向きであるために箸箱Ｂの蓋Ｂ２を閉じた際の力は曲げ応力として加わり、バンド状部２Ｂ，２Ｂに対しては、捩じり応力として負荷される（図１３）。したがって、より柔軟に箸箱Ｂに接触することができるから、ハーフタイプの箸箱Ｂであっても、箸Ｔ，Ｔを拘束し、かつ、その箸箱Ｂ内で保持して、箸Ｔ，Ｔを抜け出ないように維持している。
【００４３】
長円形短筒状体２０には、バンド状部２Ｂ，２Ｂの左右位置にそれぞれ１対の接触突起２Ｔ，２Ｔを設けることができる（図１４）。この場合の接触突起２Ｔ，２Ｔの形状は、リブ状であって軸方向に向けて形成されている。
【００４４】
左右方向の接触突起２Ｔ，２Ｔを備える長円形短筒状体２０は、箸箱Ｂの蓋Ｂ２に接触できない場合においても、接触突起２Ｔ，２Ｔを介して箸箱Ｂの側面に接触することで保持した箸Ｔ，Ｔの振れ等を阻止することができる（図１５）。なお、前記した上向きの接触突起２Ｔ，２Ｔまたは斜め上向きの接触突起２Ｔ，２Ｔと併用することによってより広範囲の箸箱Ｂのサイズに適合させることが可能である。
【図面の簡単な説明】
【００４５】
【図１】本発明の箸箱用箸ホルダの実施の形態を示す斜視図。
【図２】上記箸箱用箸ホルダの使用状態を示す斜視図。
【図３】上記箸箱用箸ホルダの他の使用状態を示す平面図。
【図４】上記箸箱用箸ホルダの他の使用状態を示す斜視図。
【図５】本発明の箸箱用箸ホルダの他の実施の形態を示す斜視図。
【図６】上記箸箱用箸ホルダの使用状態を示す斜視図。
【図７】本発明の箸箱用箸ホルダの他の実施の形態を示す斜視図。
【図８】上記箸箱用箸ホルダの動作説明図。
【図９】上記箸箱用箸ホルダの使用状態を示す平面図。
【図１０】本発明の箸箱用箸ホルダの他の実施の形態を示す斜視図。
【図１１】上記箸箱用箸ホルダの使用状態を示す横断面図。
【図１２】本発明の箸箱用箸ホルダの他の実施の形態を示す斜視図。
【図１３】上記箸箱用箸ホルダの使用状態を示す縦断面図。
【図１４】本発明の箸箱用箸ホルダの他の実施の形態を示す斜視図。
【図１５】上記箸箱用箸ホルダの使用状態を示す横断面図。
【符号の説明】
【００４６】
Ｔ          箸
Ｂ          箸箱
Ｂ２        蓋
ＨＤ        箸箱用箸ホルダ
２Ａ        窪み曲面
２Ｂ        バンド状部
２Ｈ        開口部
１０        繭形短筒状体
２０        長円形短筒状体
２          側面
２Ｔ        接触突起
【図１】
2010125017.tif 000003
【図２】
2010125017.tif 000004
【図３】
2010125017.tif 000005
【図４】
2010125017.tif 000006
【図５】
2010125017.tif 000007
【図６】
2010125017.tif 000008
【図７】
2010125017.tif 000009
【図８】
2010125017.tif 000010
【図９】
2010125017.tif 000011
【図１０】
2010125017.tif 000012
【図１１】
2010125017.tif 000013
【図１２】
2010125017.tif 000014
【図１３】
2010125017.tif 000015
【図１４】
2010125017.tif 000016
【図１５】
2010125017.tif 000017